(57)【要約】【課題】  リモートコントローラを手に持つ等するのみで、現在どの放送メディア（地上アナログ放送、地上デジタル放送、ＢＳデジタル放送、ＣＳデジタル放送）が操作対象なのかを知ることができるようにする。【解決手段】  放送メディアを切り換えるボタン１１０のそれぞれのボタン１１１からに１１４に照明手段を設ける。リモートコントローラ１００が手にとられたことをセンサ１３０，１３１で検出する。マイコン３３０は、リモートコントローラ１００が操作対象としている放送メディアを知らしめるように照明手段を点灯或いは点滅させる。これにより、どの放送メディアに対して操作を行っているかを明確にすることが出来、ユーザの操作誤りや混乱を軽減することが出来る。【選択図】      図１
2007180833.tif 000002
【特許請求の範囲】
【請求項１】
複数の放送メディアを切り換える指示を送信するリモートコントローラであって、
ユーザが前記リモートコントローラに接触したことを検出する検出手段と、
前記検出手段により接触したことが検出されると操作対象となっている放送メディアを通知する通知手段とを備えたことを特徴とするリモートコントローラ。
【請求項２】
更に、放送メディアを切り換える切換ボタンと、
前記放送メディア切換ボタンの照明手段とを備え、
前記通知手段は、前記放送メディア切換ボタンの照明手段が点灯または点滅させることにより通知することを特徴とする請求項１記載のリモートコントローラ。
【請求項３】
前記通知手段は、操作対象となっている放送メディアを音声により通知することを特徴とする請求項１記載のリモートコントローラ。
【請求項４】
更にタイマー手段を備え、
前記通知手段は、前記検出手段により接触したことが検出された後、所定時間だけ前記通知を行うことを特徴とする請求項１記載のリモートコントローラ。
【発明の詳細な説明】
【技術分野】
【０００１】
この発明は、電子機器を遠隔制御するためのリモートコントローラに関する。
【背景技術】
【０００２】
地上アナログ放送、ＢＳデジタル放送、ＣＳデジタル放送に加え地上デジタル放送が始まり放送メディアが増えることによって、受信機を操作するリモコンボタンが増加し、番組を選局する操作が複雑になってきた。
【０００３】
この欠点を解消するために放送メディアを切り換える複数のボタンに照明手段を設けることにより操作中の放送メディアを知らしめたリモートコントローラが知られている（例えば、特許文献１参照）。
【０００４】
また、従来の複数の放送メディアを切り換えることができるリモートコントローラが知られている（例えば、特許文献２参照）。このリモートコントローラは、１０キーを押すと、放送切換ボタンの一つが点滅して、選択されている放送メディアを示す。しかし実際に選択されている放送メディアが知りたいのは選局動作をする前であるが、このリモートコントローラではキー押下時にそのキーが何の放送メディアを選択しているのか予め知ることはできない。このため操作対象の放送メディアを誤るなどの混乱が発生する。
【特許文献１】実開昭５７−６５４７８号公報（第２図）
【特許文献２】特開２００５−３９７１６公報
【発明の開示】
【発明が解決しようとする課題】
【０００５】
このように従来のリモートコントローラにおいては、放送メディアを切り換える複数のボタンのいずれかを予め押して放送メディアを指定しなければ、実際に選択されている放送メディアが何であるかを知ることができないという問題があった。
【０００６】
この発明は、放送メディアを切り換える複数のボタンのいずれかを予め押して放送メディアを指定しなくても、実際に選択されている放送メディアが何であるかを知ることができるリモートコントローラを提供することを目的とする。
【課題を解決するための手段】
【０００７】
上記の目的を達成するために、この発明においては、複数の放送メディアを切り換える指示を送信するリモートコントローラであって、ユーザが前記リモートコントローラに接触したことを検出する検出手段と、前記検出手段により接触したことが検出されると操作対象となっている放送メディアを通知する通知手段とを備えたことを特徴とするリモートコントローラを提供する。
【０００８】
なお、装置に係る本発明は方法に係る発明としても成立し、方法に係る本発明は装置に係る発明としても成立する。
【発明の効果】
【０００９】
この発明によれば、リモートコントローラを手に持つ等するのみで、現在どの放送メディアが操作対象なのかを知ることができるようにしたので、放送メディアを切り換える複数のボタンのいずれかを予め押して放送メディアを指定しなくても、実際に選択されている放送メディアが何であるかを知ることができる。
【発明を実施するための最良の形態】
【００１０】
以下、図面を参照しながら本発明の実施の形態について説明する。
（第１の実施形態）
図１は、本発明の第１の実施形態に係るリモートコントローラの操作ボタンを示す図である。この実施形態では、テレビジョン受像機のリモートコントローラを例に説明する。
【００１１】
図１において、リモートコントローラ１００の操作ボタンは、放送メディアを切り替えるための放送メディア切換ボタン１１０とチャンネル番号を入力するための一組の数字ボタン１２０とで構成されている。放送メディア切換ボタン１１０を押下することにより放送メディアを切り替えることができる。数字ボタン１２０を押下することによりチャンネル番号を入力することができる。
【００１２】
放送メディア切換ボタン１１０は、地上アナログ放送選択ボタン１１１、地上デジタル放送選択ボタン１１２、ＢＳデジタル放送選択ボタン１１３およびＣＳデジタル放送選択ボタン１１４から構成されている。
【００１３】
リモートコントローラ１００は、ユーザがリモートコントローラ１００を握るとき手が触れやすい両側面の上下からみた中央付近に、センサ１３０およびセンサ１３１が設けられている。このセンサ１３０およびセンサ１３１は、いわゆるタッチセンサであり、ユーザがリモコンを握っているかどうかを検出するためのものである。
【００１４】
リモートコントローラ１００を握るとき手が触れやすい両側面に設けていることにより、右利き、左利きといずれでも、より正しくユーザがリモートコントローラ１００を使用していることを検出することができる。
【００１５】
このタッチセンサとしては周知のタッチセンサを用いればよく、例えば特開平０５−２８８６１９号公報、特開２００５−０３０８４０公報、特開２００５−００３６４９公報等に記載のタッチセンサを用いることができる。
【００１６】
なお、センサ１３０およびセンサ１３１としてはメカニカルな押しボタン式のスイッチを用いても良い。
図２は、本発明のリモートコントローラ１００を上面あるいは下面からの斜視図であり、特にセンサ１３０およびセンサ１３１の配置に限って簡略化して記載した図である。この図に示すようにリモートコントローラ１００の側面に、リモートコントローラ１００を使用していることを検出するためのセンサ１３０およびセンサ１３１が設けられている。このセンサ１３０およびセンサ１３１としては、例えばタッチセンサや加速度センサを用いるものとする。
【００１７】
放送メディア切換ボタン１１０は、地上アナログ放送選択ボタン１１１、地上デジタル放送選択ボタン１１２、ＢＳデジタル放送選択ボタン１１３およびＣＳデジタル放送選択ボタン１１４から構成されている。
【００１８】
図３はリモートコントローラ１００のハード構成を示すブロック図である。
図３において、リモートコントローラ１００は、センサ１３０，１３１、リモコンコード送信用赤外ＬＥＤ３０１、地上アナログ放送選択ボタン１１１に対応する照明手段としての照明用ＬＥＤ３１１、地上デジタル放送選択ボタン１１２に対応する照明手段としての照明用ＬＥＤ３１２、ＢＳデジタル放送選択ボタン１１３に対応する照明手段としての照明用ＬＥＤ３１３、ＣＳデジタル放送選択ボタン１１４に対応する照明手段としての照明用ＬＥＤ３１４、リモコン操作ボタン３２０、プログラムを実行することにより動作するマイコン３３０、ＥＥＰＲＯＭ３４０、タイマー３５０から構成されている。
【００１９】
リモコン操作ボタン３２０としては、放送メディア切換ボタン１１０、数字ボタン１２０が設けられている。
照明用ＬＥＤ３１１〜３１４は、本実施の形態ではリモートコントローラ１００の内部に備えられており、それぞれの選択ボタン１１１〜１１４の下部に位置するために、各照明手段が点灯した場合には、それぞれ対応する選択ボタンが点灯するよう構成されている。
【００２０】
マイコン３３０は、ユーザがリモートコントローラ１００に手にとって握ったり、或いは手に取ったことをセンサ１３０およびセンサ１３１によって検出すると、各選択ボタン１１１〜１１４に対応する照明用ＬＥＤ３１１〜３１４が点灯／点滅するよう制御する。
【００２１】
なお、この例ではユーザがリモートコントローラ１００を握っている間は、放送切換ボタンの一つを常時点灯／点滅する。
また、この例ではユーザがリモートコントローラ１００を握っている間、放送切換ボタンの一つを常時点灯／点滅するのに代え、タイマー３５０からの時間情報を用いて数秒間点灯または点滅するようにしてもよい。
【００２２】
図４は、このときのマイコン３３０によるリモコン選局動作の流れを説明するためのフローチャートである。
図４において、マイコン３３０は、ユーザがリモートコントローラ１００に触れたり、或いは手に取ったことをセンサ１３０およびセンサ１３１によって検出する（ステップＳ４０１）。
【００２３】
ステップＳ４０２：マイコン３３０は、現在リモートコントローラ１００がどの放送メディアに対する操作を行っているかを示す情報（以下、選局メディア情報と記す）をＥＥＰＲＯＭ３４０から読み出す。
【００２４】
ステップＳ４０３：マイコン３３０は、ＥＥＰＲＯＭ３４０から読み出した選局メディア情報が地上アナログ放送を示すとき、地上アナログ放送選択ボタン１１１に対応する照明手段としての照明用ＬＥＤ３１１を点灯或いは点滅させる。また、ＥＥＰＲＯＭ３４０から読み出した選局メディア情報が地上デジタル放送を示すとき、地上デジタル放送選択ボタン１１２に対応する照明手段としての照明用ＬＥＤ３１２を点灯或いは点滅させる。
【００２５】
また、ＥＥＰＲＯＭ３４０から読み出した選局メディア情報がＢＳデジタル放送を示すとき、ＢＳデジタル放送選択ボタン１１３に対応する照明手段としての照明用ＬＥＤ３１３を点灯或いは点滅させる。また、ＥＥＰＲＯＭ３４０から読み出した選局メディア情報がＣＳデジタル放送を示すとき、ＣＳデジタル放送選択ボタン１１４に対応する照明手段としての照明用ＬＥＤ３１４を点灯或いは点滅させる。
【００２６】
このステップＳ４０３により、ユーザは現在のリモートコントローラ１００の操作対象がどの放送メディアに対する操作が行われるのかを知ることができる。
ステップＳ４０４：ステップＳ４０３で所望のメディアであればステップＳ４０７へ進み、所望のメディアであればステップＳ４０５へ進む。
ステップＳ４０５：ユーザは所望の選局メディア、例えば、地上アナログ放送を受信したかったときに、現在操作対象が他の選局メディア（地上デジタル放送またはＢＳデジタル放送またはＣＳデジタル放送）であった場合、まずリモートコントローラ１００での操作対象を地上アナログ放送用に切り換える為に、リモートコントローラ１００の地上アナログ放送選択ボタン１１１を押す。
【００２７】
ステップＳ４０６：この結果、リモートコントローラ１００の操作対象が地上アナログ放送に切り換わったことを示す照明用ＬＥＤ３１１を点灯或いは点滅させる。そして数字ボタン１２０のリモコンコードを地上アナログ放送選局用コードに設定し、この情報をＥＥＰＲＯＭ３４０に記憶して、地上アナログ放送選択ボタン１１１のリモコンコードを送信する。
【００２８】
ステップＳ４０７：数字ボタン１２０のいずれかのボタンを押すと、どの放送メディアに対する操作かをＥＥＰＲＯＭ３４０より読み出し、地上アナログ放送を選局していることを示す照明用ＬＥＤ３１１を点滅させるとともに、地上アナログ放送選局用の数字ボタンコードを受信機に送信する。
【００２９】
以上に示したように、本発明の実施の形態の構成では、選局したり放送メディアを切り替える際に、リモートコントローラ１００の放送メディアを切り替えるボタンである地上アナログ放送選択ボタン１１１、地上デジタル放送選択ボタン１１２、ＢＳデジタル放送選択ボタン１１３、ＣＳデジタル放送選択ボタン１１４のいずれかを点滅させることで、操作者にリモートコントローラの操作対象がいずれの放送メディアになっているのかを示せるので、操作者の操作向上を図ることができるものである。
【００３０】
尚、照明手段の構成は本実施の形態例に限るものではなく、リモートコントローラの操作部分に位置するものでもよく、また対応する放送メディア切換用のボタンに隣接させた構成であっても、その操作性に本実施の形態の構成のものと同様な効果を奏するものである。
【００３１】
（変形例）
この発明の変形例としては、マイコン３３０は、照明用ＬＥＤ３１１を点灯或いは点滅させるとき、タイマー３５０からの時間情報を用いて、タッチされてから所定の時間、例えば１０秒間だけ照明用ＬＥＤを点灯或いは点滅させるようにしてもよい。
【００３２】
図５は、このときのマイコン３３０によるリモコン選局動作の流れを説明するためのフローチャートである。なお、図４と同じ動作については同一番号を付して説明を省略する。
【００３３】
図５において、マイコン３３０は、ユーザがリモートコントローラ１００に触れたり、或いは手に取ったことをセンサ１３０，１３１によって検出する（ステップＳ５０１）。
【００３４】
ステップＳ５０３：マイコン３３０は、ＥＥＰＲＯＭ３４０から読み出した選局メディア情報が地上アナログ放送を示すとき、地上アナログ放送選択ボタン１１１に対応する照明手段としての照明用ＬＥＤ３１１を例えば１０秒間点灯或いは点滅させる。また、ＥＥＰＲＯＭ３４０から読み出した選局メディア情報が地上デジタル放送を示すとき、地上デジタル放送選択ボタン１１２に対応する照明手段としての照明用ＬＥＤ３１２を例えば１０秒間点灯或いは点滅させる。また、ＥＥＰＲＯＭ３４０から読み出した選局メディア情報がＢＳデジタル放送を示すとき、ＢＳデジタル放送選択ボタン１１３に対応する照明手段としての照明用ＬＥＤ３１３を例えば１０秒間点灯或いは点滅させる。
【００３５】
この点灯或いは点滅させる所定の時間（例えば１０秒間）については、最初にリモコンが検出した時点からの時間から諸定時間は必ず点灯或いは点滅するようにしてもよいし、最後にリモコンが検出した時点からの時間であってもよい。
【００３６】
また、ＥＥＰＲＯＭ３４０から読み出した選局メディア情報がＣＳデジタル放送を示すとき、ＣＳデジタル放送選択ボタン１１４に対応する照明手段としての照明用ＬＥＤ３１４を例えば１０秒間点灯或いは点滅させる。もし、１０秒間の間にリモートコントローラ１００の他のボタンが操作されたら、この点灯或いは点滅は停止するようにしても良い。
【００３７】
このステップＳ５０３により、ユーザは現在のリモートコントローラ１００の操作対象がどの放送メディアに対する操作が行われるのかを知ることができる。
ステップＳ５０４：ステップＳ５０３で所望のメディアでなければステップＳ５０５へ進む。
ステップＳ５０５：ユーザは所望の選局メディア、例えば、地上アナログ放送を受信したかったときに、現在操作対象が他の選局メディア（地上デジタル放送またはＢＳデジタル放送またはＣＳデジタル放送）であった場合、まずリモートコントローラ１００での操作対象を地上アナログ放送用に切り換える為に、リモートコントローラ１００の地上アナログ放送選択ボタン１１１を押す。
【００３８】
マイコン３３０は、地上アナログ放送選択ボタン１１１に対応する照明手段としての照明用ＬＥＤ３１１を例えば１０秒間点灯或いは点滅させる。
この点灯或いは点滅させる所定の時間（例えば１０秒間）については、最初にリモコンが検出した時点からの時間から諸定時間は必ず点灯或いは点滅するようにしてもよいし、最後にリモコンが検出した時点からの時間であってもよい。
【００３９】
この変形例によれば、更に点灯或いは点滅による不要な電力の消費を低減させることができる。
（第２の実施形態）
この第２の実施形態としては、センサ１３０，１３１として、タッチセンサに代え、加速度センサを用いて、加速や振動を検出したら放送切換ボタンの一つを点灯或いは点滅するものである。この加速度センサとしては周知の加速度センサを用いればよく、例えば特開２００５−１４７８９９公報や特開２００５−２８３４０２公報等に記載の加速度センサを用いることができる。
【００４０】
ボタンの構成は図１と同様であり、リモートコントローラ１００のハード構成は図３と同様であるので詳細な説明は省略する。
なお、加速度センサの場合には、図２のセンサ１３０，１３１のように２つある必要はなく、リモコン内部に１つあればよい。
この実施形態の動作については、図４および図５と同じ動作なので説明は省略する。この実施形態ではマイコン３３０は、ユーザがリモートコントローラ１００に触れたり、或いは手に取ったことを加速度センサ１３０によって検出する（ステップＳ４０１，Ｓ５０１）点が異なるだけである。
【００４１】
以上に示したように、本発明の実施の形態の構成では、放送メディアを切り替える際に、リモートコントローラ１００の放送メディアを切り替えるボタンである地上アナログ放送選択ボタン１１１、地上デジタル放送選択ボタン１１２、ＢＳデジタル放送選択ボタン１１３、ＣＳデジタル放送選択ボタン１１４のいずれかを点滅させることで、操作者にリモートコントローラの操作対象がいずれの放送メディアになっているのかを示せるので、操作者の操作向上を図ることができるものである。
【００４２】
尚、照明手段の構成は本実施の形態例に限るものではなく、リモートコントローラの操作部分に位置するものでもよく、また対応する放送メディア切換用のボタンに隣接させた構成であっても、その操作性に本実施の形態の構成のものと同様な効果を奏するものである。
【００４３】
他の上記各実施例の変形例としては、照明によりどの放送メディアが選局対象となっているかを通知することにより知らしめたが、これに代え、音声によって通知することにより知らしめるようにしてもよい。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】本発明の第１の実施形態に係るリモートコントローラの操作ボタンを示す図。
【図２】本発明のリモートコントローラ１００を上面あるいは下面からの斜視図。
【図３】リモートコントローラ１００のハード構成を示すブロック図。
【図４】マイコン３３０によるリモコン選局動作の流れを説明するためのフローチャート。
【図５】マイコン３３０によるリモコン選局動作の流れを説明するためのフローチャート。
【符号の説明】
【００４６】
１００…リモートコントローラ、１１０…放送メディア切換ボタン、１２０…数字ボタン、１１１…地上アナログ放送選択ボタン、１１２…地上デジタル放送選択ボタン、１１３…ＢＳデジタル放送選択ボタン、１１４…ＣＳデジタル放送選択ボタン、１３０，１３１…センサ、３０１…リモコンコード送信用赤外ＬＥＤ、３１１〜３１４…照明用ＬＥＤ、３２０…リモコン操作ボタン、３３０…マイコン、３４０…ＥＥＰＲＯＭ、３５０…タイマー。
【図１】
2007180833.tif 000003
【図２】
2007180833.tif 000004
【図３】
2007180833.tif 000005
【図４】
2007180833.tif 000006
【図５】
2007180833.tif 000007